(57)【要約】【課題】視覚効果処理部材に施された視覚効果処理を観察者が容易に視認できるようにしてアイキャッチ効果を向上させる。【解決手段】化粧材４は、光透過性を有し、視覚効果処理が施された視覚効果処理部材５と、  光源からの光が照射される視覚効果処理部材の面とは反対の面側に配置され、指向性反射特性を有する第１の光反射部材６と、を備え、視覚効果処理部材５および第１の光反射部材６は、それぞれの対向面の相対的な位置が変えられるように配置される。【選択図】図１
2015047786.tif 000002
【特許請求の範囲】
【請求項１】
光透過性を有し、視覚効果処理が施された視覚効果処理部材と、
光源からの光が照射される前記視覚効果処理部材の面とは反対の面側に配置され、指向性反射特性を有する第１の光反射部材と、を備え、
前記視覚効果処理部材および前記第１の光反射部材は、それぞれの対向面の相対的な位置が変えられるように配置されることを特徴とする化粧材。
【請求項２】
前記第１の光反射部材は、前記視覚効果処理部材に対して回転軸周りに回動自在とされていることを特徴とする請求項１に記載の化粧材。
【請求項３】
前記第１の光反射部材は、前記視覚効果処理部材に対して一次元または二次元方向に移動自在とされていることを特徴とする請求項１に記載の化粧材。
【請求項４】
前記視覚効果処理部材が配置される前記第１の光反射部材の面とは反対の面側に配置され、拡散反射または正反射の特性を有する第２の光反射部材と、を備えることを特徴とする請求項１乃至３のいずれかに記載の化粧材。
【請求項５】
前記視覚効果処理部材の表面における指向性反射輝度が最大になるように、前記視覚効果処理部材および前記第１の光反射部材のそれぞれの対向面の相対的な位置が調整されることを特徴とする請求項１乃至４のいずれかに記載の化粧材。
【請求項６】
前記視覚効果処理部材および前記第１の光反射部材のそれぞれの対向面の相対的な位置の調整が完了した後に、該位置を維持した状態で前記視覚効果処理部材および前記第１の光反射部材は貼り合わされることを特徴とする請求項１乃至５のいずれかに記載の化粧材。
【請求項７】
前記第１の光反射部材は、前記光源からの光を反射させる際に反射角度範囲を制限するプリズムシートであり、
前記プリズムシートから反射される方向が所定の方向になるように、前記プリズムシートと前記視覚効果処理部材との相対的な位置が調整されることを特徴とする請求項１乃至６のいずれかに記載の化粧材。
【請求項８】
前記プリズムシートは、シート面方向に配置される複数の単位プリズムを有し、
前記複数の単位プリズムのそれぞれの主断面形状は略台形であることを特徴とする請求項７に記載の化粧材。
【請求項９】
前記プリズムシートは、シート面方向に配置される複数の単位プリズムを有し、
前記複数の単位プリズムのそれぞれの主断面形状は略三角形であることを特徴とする請求項７に記載の化粧材。
【請求項１０】
前記視覚効果処理部材は、前記視覚効果処理として静止画像または動画像を生成する電子表示媒体を有し、
前記電子表示媒体で生成した静止画像または動画像の前記視覚効果処理部材の表面における表示位置は、前記第１の光反射部材と前記視覚効果処理部材との相対的な位置を変えることで、可変されることを特徴とする請求項１乃至９のいずれかに記載の化粧材。
【発明の詳細な説明】
【技術分野】
【０００１】
本発明は、光源からの光を反射する機能を有する化粧材に関する。
【背景技術】
【０００２】
従来の建材内装シートでは、鏡面反射（正反射）と拡散反射の割合を調整することで、独特な風合いや質感を出すようにしていた（特許文献１参照）。例えば、シート表面が平坦であれば、鏡面反射の傾向が強くなり、シート表面に拡散粒子を配置すると、拡散反射の傾向を強くすることができる。
【先行技術文献】
【特許文献】
【０００３】
【特許文献１】特開２０１１−７３２０７号公報
【発明の概要】
【発明が解決しようとする課題】
【０００４】
上述したように、従来の建材内装シートは、シート表面を鏡面反射にするか、または拡散反射にしていたため、所望の方向に効率的に光を反射させることは困難である。
【０００５】
建材内装シートには、木目等の意匠が施されているが、照明光源の入射位置によっては、建材内装シートの一部分のみが明るく照らされて、シート全面の意匠が観察者に視認されない場合がある。シート全面が明るく照らされるように、照明光源の位置を変えたり、複数の照明光源を設けることも考えられるが、室内では、照明光源を設置可能な場所は制限されることも多く、また、複数の照明光源を設けるのは、省エネルギー化の観点からも望ましくない。
【０００６】
本発明は、上述した課題を解決するためになされたものであり、その目的は、視覚効果処理部材に施された視覚効果処理を観察者が容易に視認できるようにしてアイキャッチ効果を向上させた化粧材を提供するものである。
【課題を解決するための手段】
【０００７】
上記の課題を解決するために、本発明の一態様では、光透過性を有し、視覚効果処理が施された視覚効果処理部材と、
光源からの光が照射される前記視覚効果処理部材の面とは反対の面側に配置され、指向性反射特性を有する第１の光反射部材と、を備え、
前記視覚効果処理部材および前記第１の光反射部材は、それぞれの対向面の相対的な位置が変えられるように配置されることを特徴とする化粧材が提供される。
【０００８】
前記第１の光反射部材は、前記視覚効果処理部材に対して回転軸周りに回動自在とされていてもよい。
【０００９】
前記第１の光反射部材は、前記視覚効果処理部材に対して一次元または二次元方向に移動自在とされていてもよい。
【００１０】
前記視覚効果処理部材が配置される前記第１の光反射部材の面とは反対の面側に配置され、拡散反射または正反射の特性を有する第２の光反射部材と、を備えていてもよい。
【００１１】
前記視覚効果処理部材の表面における指向性反射輝度が最大になるように、前記視覚効果処理部材および前記第１の光反射部材のそれぞれの対向面の相対的な位置が調整されてもよい。
【００１２】
前記視覚効果処理部材および前記第１の光反射部材のそれぞれの対向面の相対的な位置の調整が完了した後に、該位置を維持した状態で前記視覚効果処理部材および前記第１の光反射部材は貼り合わされてもよい。
【００１３】
前記第１の光反射部材は、前記光源からの光を反射させる際に反射角度範囲を制限するプリズムシートであり、
前記プリズムシートから反射される方向が所定の方向になるように、前記プリズムシートと前記視覚効果処理部材との相対的な位置が調整されてもよい。
【００１４】
前記プリズムシートは、シート面方向に配置される複数の単位プリズムを有し、
前記複数の単位プリズムのそれぞれの主断面形状は略台形でもよい。
【００１５】
前記プリズムシートは、シート面方向に配置される複数の単位プリズムを有し、
前記複数の単位プリズムのそれぞれの主断面形状は略三角形でもよい。
【００１６】
前記視覚効果処理部材は、前記視覚効果処理として静止画像または動画像を生成する電子表示媒体を有し、
前記電子表示媒体で生成した静止画像または動画像の前記視覚効果処理部材の表面における表示位置は、前記第１の光反射部材と前記視覚効果処理部材との相対的な位置を変えることで、可変されてもよい。
【発明の効果】
【００１７】
本発明によれば、視覚効果処理部材に施された視覚効果処理を観察者が容易に視認できるようになり、アイキャッチ効果の向上が図れる。
【図面の簡単な説明】
【００１８】
【図１】本発明の一実施形態に係る化粧材４を室内の壁材として用いる例を示す図。
【図２】（ａ）は化粧材４の表面の輝度を示す図、（ｂ）は光の進行方向を模式的に示す図。
【図３】入射光の方向を一定としてプリズムシート１２を回転させて指向性反射輝度がどのように変化するかを示すグラフ。
【図４】視覚効果処理部材５と第１の光反射部材６との相対的な位置を変える一具体例を示す図。
【図５】第１の光反射部材６を回転軸１０周りに回転させたときに第１の光反射部材６にて反射される方向が変化する様子を示す図。
【図６】視覚効果処理部材５と第１の光反射部材６を貼り合わせた後の化粧材４の断面構造を詳細に示す図。
【図７】化粧材４の斜視図。
【図８】第１の光反射部材６における単位プリズム１１の主断面形状が三角形の場合の化粧材４の一例を示す図。
【図９】視覚効果処理部材５と第１の光反射部材６の間にシート状の電子表示部材２０を設けた化粧材４の一例を示す断面図。
【発明を実施するための形態】
【００１９】
以下、本発明の実施の形態について、詳細に説明する。
図１は本発明の一実施形態に係る化粧材４を室内の壁材として用いる例を示す図である。図１の化粧材４は、壁材としてだけでなく、室内灯等の光源２からの光を受けることが可能な場所、例えば、天井や階段壁面の材料として広く用いることができる。
【００２０】
図１の化粧材４は、最表面に配置される視覚効果処理部材５と、視覚効果処理部材５の下面側に配置される第１の光反射部材６と、第１の光反射部材６の下面側に配置される第２の光反射部材７とを備えている。
【００２１】
第１の光反射部材６は、光源２からの光を反射させる際に、その反射光の少なくとも一部が特定の領域または位置に向けて反射されるように指向性反射を行う。すなわち、第１の光反射部材６は、その部材表面からの反射光の少なくとも一部が特定の領域または位置に向けて反射されるような指向性反射特性を有する。
【００２２】
後に詳述するように、視覚効果処理部材５と第１の光反射部材６は、それぞれの対向面の相対的な位置を変えられるように配置され、第１の光反射部材６は、視覚効果処理部材との相対的な位置を変えることで、指向性反射特性が変化することを特徴としている。
【００２３】
ここで、相対的な位置を変えるとは、視覚効果処理部材５と第１の光反射部材６のそれぞれの対向面上の一次元または二次元方向の位置を変えることを指し、両部材５，６の少なくとも一方を対向面に沿って直線的に移動させる場合だけでなく、対向面上のある軸周りに回転させる場合も含む。
【００２４】
図１では、３種類の部材５〜７を積層した化粧材４の例を示しているが、視覚効果処理部材５よりもさらに光源２寄りに、光を散乱させる作用を行う不図示のマットフィルム等を貼り付けて４層以上の構造にしてもよい。
【００２５】
第２の光反射部材７は、拡散反射または鏡面反射（正反射）の特性を有する。ここで、拡散反射とは、入射光を種々の方向に反射させることであり、正反射とは光の入射角度に依存する方向に反射させることである。第１の光反射部材６によって指向性反射特性されない光を反射する必要がないのであれば、第２の光反射部材７は省略しても構わない。すなわち、第２の光反射部材７は必ずしも必須の構成部品ではない。
【００２６】
図１の化粧材４を照明する光源２は、例えば蛍光灯、白熱灯、ＬＥＤ光源または有機ＥＬ光源等であり、複数の光源２を設けてもよい。光源２の設置場所についても特に制限はなく、化粧材４を配置する場所に合わせて、室内の天井や壁面等に設ければよい。
【００２７】
視覚効果処理部材５は、光透過性を有し、その部材表面には視覚効果処理が施されている。ここで、視覚効果処理とは、部材表面を観察する観察者が、視覚的に認識できる何等かの処理または模様を指し、例えば、記号数字文字情報や画像情報などの意匠を施すことであり、画像情報はモノクロの濃淡画像でもよいし、カラー画像でもよい。また、視覚効果処理は、印刷技術を利用して部材表面に印字する場合だけでなく、部材表面に凹凸形状をつけて視覚効果を出してもよく、あるいは光学的な干渉縞を形成して、光の入射角度により画像が浮かび上がるようにしてもよい。
【００２８】
視覚効果処理を印刷にて行う場合、例えば、部材の表面に、印刷ドットの大きさを可変させて濃淡を表す振幅変調方式を利用したグラビア印刷を施すことが考えられる。これにより、通常の印刷物と同様に、低コストで高品質の視覚効果処理を行うことができる。
【００２９】
なお、視覚効果処理部材５は、部材自体で視覚効果を出す場合と、部材に視覚効果層を積層する場合とがある。
【００３０】
部材自体で視覚効果を出す場合は、視覚効果層を必要とせず、部材のみでよい。部材自体が視覚効果を持つものとしては、例えば、磨りガラス、障子、和紙、着色ガラス部材、着色樹脂部材等が挙げられる。
【００３１】
部材に視覚効果層を積層する場合、部材は光透過性を有する必要があり、例えば無機物製部材や樹脂製部材が挙げられる。無機物製部材は、例えばガラス部材であり、それに用いられるガラスは、ソーダライムガラス、無アルカリガラス、石英ガラス等を用いることができる。樹脂製部材に用いられる樹脂としては、例えば、ポリプロピレン、ポリエチレン、ポリ塩化ビニル、ポリスチレン、ポリビニルアルコール、ポリイミド、ポリエチレンナフタレート、ポリエチレンテレフタレート、ポリカーボネート、ポリエーテルイミド、ポリエーテルエーテルケトン、ポリエーテルケトン、ポリフェニレンスルフィド、液晶ポリマー、エポキシ樹脂、シリコーン樹脂、フェノール樹脂、アクリル樹脂、ポリカーボネート樹脂、スチロール、トリアセチルセルロース（ＴＡＣ）等を挙げることができる。
【００３２】
第１の光反射部材６は、視覚効果処理部材５を通過して二以上の方向から入射される光の少なくとも一部分を、所望の方向、例えば、化粧材４の面の法線方向またはその近傍の方向に反射させる。これにより、強い光を発する光源２や複数の光源２を設けなくても、光源２からの光を化粧材４で反射させて所望の方向を照明できるため、光源２の光を無駄なく利用でき、省エネルギー化を実現することができる。すなわち、本実施形態に係る化粧材４は、間接光源として利用可能である。しかも、化粧材４は、指向性反射を行う第１の光反射部材６を有するため、例えば、室内の特定箇所を照明する目的で利用可能である。
【００３３】
本明細書において、「化粧材４の面」とは、場合によって、化粧材４全体としての対向する一方または両方の面と、化粧材４を構成する任意の部材の一方または両方の面とを示す意味合いで用いられる。また、本明細書において用いる、形状や幾何学的条件を特定する用語、例えば、「平行」、「直交」、「四角形」等の用語については、厳密な意味に縛られることなく、同様の光学的機能が得られる程度の形状や幾何学的条件の差異を含めて解釈することとする。
【００３４】
図２は、室内の天井等に光源２を設けるとともに、図１の化粧材４を壁材として用いた例を示す図であり、図２（ａ）は化粧材４の表面の輝度を示す図、図２（ｂ）は光の進行方向を模式的に示す図である。図２（ａ）では、輝度の大小を模式的に濃淡で表している。
【００３５】
光源２から化粧材４に入射された光のうち一部は、視覚効果処理部材５で反射または吸収され、残りの光は視覚効果処理部材５を透過して第１の光反射部材６に入射される。第１の光反射部材６に入射された光のうち一部は、指向性反射されて、視覚効果処理部材５を透過して室内方向を進行する。また、第１の光反射部材６に入射された光の中には、第１の光反射部材６を透過して第２の光反射部材７で反射されるものもある。
【００３６】
第１の光反射部材６にて指向性反射された光は、視覚効果処理部材５を透過して室内方向に進行するため、室内側から見ると、図２（ａ）に示すように、視覚効果処理部材５の少なくとも一部の部分が明るく照らされて視認され、視覚効果処理部材５に施された意匠がより際だって外観に現れる。視覚効果処理部材５に施された視覚効果処理に応じて、光の透過率が場所によって異なるため、第１の光反射部材６や第２の光反射部材７により反射された光による視覚効果処理部材５の表面の輝度も、場所によって変化する。
【００３７】
図１と図６に示すように、第１の光反射部材６は、化粧材４の面４ａに沿って配置される複数の単位プリズム１１を有するプリズムシート１２である。本実施形態に係るプリズムシート１２では、後述するように、各単位プリズム１１の第１傾斜面１４と第２傾斜面１５の傾斜角度を調整することで、指向性反射性能を持たせているが、単位プリズムの傾斜角度を変えるだけでなく、各プリズムシート１２に入射される入射光の角度を変えることでも、指向性反射性能が変化する。
【００３８】
図３は、入射光の方向を一定とし、プリズムシート１２を回転させて指向性反射輝度がどのように変化するかを示すグラフであり、横軸はプリズムシート１２の回転角度Ｚθ（°）、縦軸は指向性反射輝度（%）を示している。図３では、指向性反射輝度が最大になるときの回転角度Ｚθを０°としている。図示のように、同じプリズムシート１２であっても、入射光の方向に対するプリズムシート１２の回転角度Ｚθ、すなわち入射光の方向に対するプリズムシート１２の位置を最適化しないと、良好な指向性反射性能が得られないことがわかる。
【００３９】
そこで、本実施形態に係る化粧材４では、視覚効果処理部材５と第１の光反射部材６との相対的な位置を変えられるような構造を採用し、これにより、結果として、光源２からの入射光の方向に対して最適な位置に第１の光反射部材６を配置して指向性反射輝度を向上させるようにしている。
【００４０】
図４は視覚効果処理部材５と第１の光反射部材６との相対的な位置を変える一具体例を示す図である。図４では、簡略化のために第２の光反射部材７を省略している。図４の例では、視覚効果処理部材５と第１の光反射部材６に共通の回転軸１０を設けて、視覚効果処理部材５と第１の光反射部材６の少なくとも一方を回転軸１０周りに回動自在としている。図４（ａ）は回転前の化粧材４、図４（ｂ）は回転後の化粧材を示している。図４（ｂ）の例では、第１の光反射部材６を回転軸１０周りに回転させているが、視覚効果処理部材５を回転軸１０周りに回転させてもよい。
【００４１】
本実施形態に係る化粧材４を例えば室内の壁等に設置する場合、光源２からの化粧材４への入射光の方向に合わせて、回転軸１０周りに第１の光反射部材６を回転させて、化粧材４からの指向性反射輝度が最適になるような回転角度を決定し、決定した回転角度で、視覚効果処理部材５と第１の光反射部材６との相対的な位置を確定させて、視覚効果処理部材５と第１の光反射部材６とを接着材等で貼り合わせて化粧材の設置を行う。
【００４２】
このように、視覚効果処理部材５と第１の光反射部材６との相対的な位置が確定すると、両部材５，６を貼り合わせるため、その後は、回転軸１０周りに第１の光反射部材６を回転させることはできず、一体構造の化粧材４が完成する。
【００４３】
なお、視覚効果処理部材５と第１の光反射部材６との相対的な位置を可変させる手段は、部材５，６の少なくとも一方を回転軸１０周りに回転させる手段に限られない。例えば、図４（ｃ）のように、視覚効果処理部材５と第１の光反射部材６の少なくとも一方を、部材表面方向に沿って、一軸または二軸方向に移動させてよい。この場合、第１の光反射部材６を構成するプリズムシート１２内の各単位プリズム１１への入射角度が移動により変化するように、各単位プリズム１１の形状を予め加工しておく必要がある。
【００４４】
このように、視覚効果処理部材５と第１の光反射部材６との相対的な位置を可変させる手段は問わないが、光源２から化粧材４に入射される入射光の方向に合わせて視覚効果処理部材５と第１の光反射部材６との相対的な位置が決定されて、両部材５，６が貼り合わされた後は、その光源２に対して最適な指向性反射性能を持つ一体構造の化粧材４が得られる。
【００４５】
視覚効果処理部材５と第１の光反射部材６のそれぞれもしくは一方の対向面に予め接着材を塗布して、その上に剥離可能な保護フィルムを貼り付けておき、保護フィルムを貼り付けた状態で視覚効果処理部材５と第１の光反射部材６との相対的な位置を可変させ、相対的な位置が決定されると、保護フィルムを剥離して、両部材５，６を接着すればよい。
【００４６】
回転軸１０を設けて両部材５，６の少なくとも一方を回転軸１０周りに回転させる場合、両部材５，６の相対的な位置が決定された後は、回転軸１０は不要となる。このため、両部材５，６を貼り合わせる際に回転軸１０を取り外してもよいし、回転軸１０の周辺部を切り落としてもよい。
【００４７】
また、両部材５，６の少なくとも一方を一軸または二軸方向に移動させる場合、可動軸方向に延びるガイド部材を設けて、ガイド部材に沿って移動させてもよいが、両部材５，６を貼り合わせた後は、ガイド部材は不要となるため、取り外してもよいし、ガイド部材の周辺を切り落としてもよい。
【００４８】
図５は第１の光反射部材６を回転軸１０周りに回転させたときに第１の光反射部材６にて反射される方向が変化する様子を示す図であり、図５（ａ）は第１の光反射部材６を回転させる前、図５（ｂ）は第１の光反射部材６を第１回転角度だけ回転させた場合、図５（ｂ）は第１の光反射部材６を第１回転角度よりも大きい第２回転角度だけ回転させた場合をそれぞれ示している。図示のように、第１の光反射部材６を回転させる量によって、反射される方向が変化する。
【００４９】
本実施形態では、反射される方向が所定の方向になって、指向性反射輝度が最大になる回転角度まで第１の光反射部材６を回転させる。
【００５０】
図６は視覚効果処理部材５と第１の光反射部材６を貼り合わせた後の化粧材４の断面構造を詳細に示す図、図７は化粧材４の斜視図である。第１の光反射部材６は、化粧材４の面４ａに沿って配置される複数の単位プリズム１１を有するプリズムシート１２である。複数の単位プリズム１１は、シート面の第１方向Ｘに沿って配置されており、各単位プリズム１１は第１方向Ｘに直交する第２方向Ｙに沿って延在されている。本明細書では、化粧材４を第１方向Ｘに沿って切断した場合の断面を主断面と呼ぶ。
【００５１】
図６のプリズムシート１２は、光源２からの光を反射させる際に反射角度範囲を制限できることを特徴とし、これにより指向性反射を実現している。
【００５２】
プリズムシート１２内の複数の単位プリズム１１の頂角付近は平坦面１３になっており、その主断面形状は台形である。台形の上底は第２の光反射部材７に接している。各単位プリズム１１は、その台形の上底に連なる第１傾斜面１４と第２傾斜面１５を有する。複数の単位プリズム１１における第１傾斜面１４の形状は共通であり、同様に複数の単位プリズム１１における第２傾斜面１５の形状も共通である。したがって、複数の単位プリズム１１用の複数の第１傾斜面１４は平行に配置され、複数の第２傾斜面１５も平行に配置されている。また、これら第１傾斜面１４と第２傾斜面１５は、シート面の第１方向Ｘに沿って交互に配置されている。
【００５３】
図６の例では、第１傾斜面１４と第２傾斜面１５のそれぞれは、平坦面ではなく、１箇所以上で折れ曲がった折れ面である。したがって、第１傾斜面１４と第２傾斜面１５のそれぞれは、第１の光反射部材６の主断面において、シート面に対する傾斜角度θａまたはθｂが２箇所以上で異なっている。
【００５４】
より具体的には、図６の例では、第１傾斜面１４と第２傾斜面１５の傾斜角度をそれぞれ２通りに変化させている。台形の下底に連なる側の第１傾斜面１４の傾斜角度を、台形の上底に連なる側の第１傾斜面１４の傾斜角度よりも大きくしている。同様に、台形の下底に連なる側の第２傾斜面１５の傾斜角度を、台形の上底に連なる側の第２傾斜面１５の傾斜角度よりも大きくしている。
【００５５】
第１傾斜面１４と第２傾斜面１５のそれぞれの傾斜角度を２箇所以上で相違させることで、第１傾斜面１４のどこに光が入射されても、第１傾斜面１４での反射光が第２傾斜面１５に向かうようになり、光の利用効率が向上する。また、第１傾斜面１４と第２傾斜面１５のそれぞれの傾斜角度を２箇所以上で相違させることで、化粧材４への光の入射角度および入射位置が異なっても、化粧材４からの反射方向のばらつきを制限でき、指向性反射が可能となる。
【００５６】
また、図６の例では、第１傾斜面１４における傾斜角度θａと第２傾斜面１５における傾斜角度θｂとを相違させている。より具体的には、第１傾斜面１４内のすべての位置における傾斜角度θａを、第２傾斜面１５内のすべての位置における傾斜角度θｂよりも小さくしている。これにより、第１傾斜面１４に入射された光は、第２傾斜面１５の方向に進みやすくなって光の利用効率が向上し、かつ第１傾斜面１４で反射されて第２傾斜面１５に入射された光は、化粧材４の面４ａの法線方向に近い方向に進みやすくなって指向性反射が可能となる。
【００５７】
さらに、化粧材４における隣り合う二つの単位プリズム１１と第２の光反射部材７との間には、空隙が設けられている。これにより、単位プリズム１１部分の屈折率と空隙の屈折率との比率が大きくなり、単位プリズム１１の第１傾斜面１４および第２傾斜面１５に到達した光は、反射されやすくなる。
【００５８】
なお、単位プリズム１１の第１傾斜面１４と第２傾斜面１５の傾斜角度を各傾斜面の途中で変える代わりに、あるいは変えることに加えて、第１傾斜面１４と第２傾斜面１５の少なくとも一方の形状を各傾斜面の途中で変えてもよい。また、単位プリズム１１の第１傾斜面１４と第２傾斜面１５の形状と傾斜角度の少なくとも一方を、単位プリズム１１ごと、あるいは複数の単位プラズム１１ごとに、相違させてもよい。
【００５９】
第１の光反射部材６は、元となる部材上に、金型を用いて単位プリズム１１を賦型することにより作製することができる。部材としては、アクリル、スチレン、ポリカーボネート、ポリエチレンテレフタレート、アクリロニトリル等の一以上を主成分とする透明樹脂からなるフィルムを用いることができる。部材上に賦型される材料としては、エポキシアクリレートやウレタンアクリレート系の反応性樹脂（電離放射線硬化型樹脂等）を使用可能である。
【００６０】
第２の光反射部材７は、上述したように、拡散反射または鏡面（正）反射の反射特性を有するが、仮に反射特性が拡散反射である場合には、拡散特性は、等方拡散でもよいし指向性拡散でもよい。したがって、第２の光反射部材７として、種々の反射シートを用いることができる。
【００６１】
図６には、第１の光反射部材６への入射角度が異なる３種類の光の行路を矢印線で示している。これらの光Ｌ２１〜Ｌ２３は、視覚効果処理部材５を透過して、第１の光反射部材６の一方側の面に到達して屈折されて、単位プリズム１１の方向に進行する。単位プリズム１１の上底面に到達した光Ｌ２１は、この上底面に接する第２の光反射部材７で拡散反射され、第１の光反射部材６と視覚効果処理部材５を通過する際にも、さらに拡散されて、化粧材４の表面から室内方向に出射される。
【００６２】
上述したように、単位プリズム１１の第１傾斜面１４の入射角度を、第２傾斜面１５の入射角度よりも大きくしている。よって、第１傾斜面１４に入射された光Ｌ２２は、第１傾斜面１４で全反射して、第２傾斜面１５に向かう。第１傾斜面１４の傾斜角度よりも第２傾斜面１５の傾斜角度の方が大きいため、第２傾斜面１５に入射された光は、第２傾斜面１５で全反射されて、化粧材４の面４ａの法線方向に近い方向に進み、視覚効果処理部材５を透過して、室内の所定方向に進行する。
【００６３】
また、光源２から視覚効果処理部材５を透過して第２傾斜面１５に入射される光Ｌ２３の入射方向は、第２傾斜面１５の法線方向に近接している。このため、光Ｌ２３は、第２傾斜面１５で全反射することなく、高い透過率で第２傾斜面１５を透過する。この結果、第２傾斜面１５に入射する光Ｌ２４は、第２の光反射部材７で拡散反射し、第２の光反射部材７の拡散能の程度に応じた角度域に拡散されて、第１の光反射部材６が設置された室内に向けて進み出る。
【００６４】
このようにして、光源２から視覚効果処理部材５を透過して第１の光反射部材６に入射される光Ｌ２１〜Ｌ２３は、第２の光反射部材７での反射、あるいは第１傾斜面１４および第２傾斜面１５での反射、あるいは第２傾斜面１５での反射を経て、第１の光反射部材６から出射して、室内を照明するようになる。
【００６５】
図６では、第１の光反射部材６における単位プリズム１１の主断面形状が台形の例を示したが、主断面形状は三角形でもよい。図８は第１の光反射部材６における単位プリズム１１の主断面形状が三角形の場合の化粧材４の一例を示す図である。図８の場合も、三角形の第１傾斜面１４と第２傾斜面１５を図８のように折れ面やカーブ形状にして、第１傾斜面１４で反射された光ができるだけ第２傾斜面１５の方向に進むようにして光の利用効率を向上させ、かつ第２傾斜面１５で反射された光が化粧材４の面４ａの法線方向に近接した方向に進むようにして指向性反射を行うようにするのが望ましい。
【００６６】
図１では、化粧材４を、視覚効果処理部材５、第１の光反射部材６および第２の光反射部材７の３層構造にする例を示しているが、視覚効果処理部材５と第１の光反射部材６の間に、別個の視覚効果のためのシート状の電子表示部材を設けてもよい。
【００６７】
図９は視覚効果処理部材５と第１の光反射部材６の間にシート状の電子表示部材２０を設けた化粧材４の一例を示す断面図である。図９の電子表示部材２０は、透明電極部材２１と、対向電極部材２２と、表示媒体層２３とを有する電子ペーパである。透明電極部材２１は、不図示の透明部材と、この透明部材上に形成された不図示の透明電極を有する。対向電極部材２２は、不図示の対向部材と、この対向部材上に形成された不図示の対向電極とを有する。表示媒体層２３は、ツイストボール２４を含有する溶媒層２５と、これらツイストボール２４および溶媒層２５を封止する表示媒体層用部材２６とを有する。
【００６８】
このような電子表示部材２０を設けることで、視覚効果処理部材５による視覚効果と、電子表示部材２０に表示する任意の表示画像による視覚効果とを合成して観察者に提供でき、よりパターンの細かい視覚効果を実現できる。すなわち、視覚効果処理部材５による視覚効果は、固定的（静的）なものであるのに対し、電子表示部材２０による視覚効果は動的なものであり、例えば、視覚効果処理部材５による視覚効果を背景画像として用いて、電子表示部材２０により動画像（例えば、時計やテロップの画像）を表示させることができる。
【００６９】
なお、電子表示部材２０は、電子ペーパに限定されるものではなく、液晶表示装置や有機ＥＬ装置などの種々の平面表示装置が適用可能である。また、電子表示部材２０にて表示させる画像は、必ずしも動画像である必要はなく、静止画像を表示させてもよい。
【００７０】
また、電子表示部材２０の代わりに太陽電池パネルを視覚効果処理部材５と第１の光反射部材６との間に設けてもよい。視覚効果処理部材５は、光透過性を有するため、視覚効果処理部材５を透過して太陽電池パネルに入射される光により、電力を発生することができ、化石燃料の使用を削減でき、省エネルギー化を図ることができる。
【００７１】
このように、本実施形態に係る化粧材４は、視覚効果処理部材５と第１の光反射部材６との相対的な位置を可変できるような構造になっており、光源２から化粧材４への入射光の方向に合わせて、化粧材４の指向性反射輝度が最適になるように視覚効果処理部材５と第１の光反射部材６との相対的な位置を調整するため、両部材５，６を貼り合わせたときに、個々の化粧材４ごとに、その近傍にある光源２との位置との関係で、最適な指向性反射輝度を確保できる。これにより、化粧材４に施された視覚効果処理をよりいっそう目立たせることができ、アイキャッチ効果を向上できる。
【００７２】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７３】
２  光源、４  化粧材、５  視覚効果処理部材、６  第１の光反射部材、７  第２の光反射部材、１０  回転軸、１１  単位プリズム、１２  プリズムシート、１３  平坦面、１４  第１傾斜面、１５  第２傾斜面、２０  電子表示部材、２１  透明電極部材、２２  対向電極部材、２３  表示媒体層、２４  ツイストボール、２５  溶媒層、２６  表示媒体層用部材
【図１】
2015047786.tif 000003
【図４】
2015047786.tif 000004
【図５】
2015047786.tif 000005
【図６】
2015047786.tif 000006
【図７】
2015047786.tif 000007
【図８】
2015047786.tif 000008
【図９】
2015047786.tif 000009
【図２】
2015047786.tif 000010
【図３】
2015047786.tif 000011